(57)【要約】【課題】  巻紙の摘み代を形成する紙繰出し機構を簡単な構造で形成することができること。【解決手段】 巻紙１の先端を引っ張って所定長さの紙を繰り出した後この紙を引っ掛け用の紙接触抵抗片８４に引っ掛けられながら繰り出すと、紙繰出し板６０がカバー４０から突き出るように巻ばね６８に抗して前進し、紙の繰出し部分を紙繰出し板６０のカッター刃５０によって折り返すように巻紙１の後続部分から切り離すと、紙接触抵抗片８４に引っ掛けられた紙部分は、下向きにばね付勢されている紙剥がし片９４によって紙接触抵抗片８４から剥がされて摘み代１Ｅを残して巻ばね６８によって紙繰出し板６０がカバー４０内に戻り、摘み代１Ｅを形成する。【選択図】  図３
2020203028.tif 000002
【特許請求の範囲】
【請求項１】
１対の側板を含むホルダ本体と、前記１対の側板の内面に取り付けられてロール巻紙を回転自在に保持する１対の巻紙受けと、前記１対の巻紙受けに保持されたロール巻紙を覆うようにホルダ本体に取り付けられたカバーと、前記カバー内に水平方向に摺動自在に保持されて前記ロール巻紙の紙先端を引っ張ると、前記ロール巻紙に係止して引っ張られて前記カバーから突き出るが、前記ロール巻紙をカッター刃で切断すると前記カバー内に引き戻される紙繰出し板を含む紙繰出し機構とを備えているロール巻紙ホルダにおいて、前記カバーは、前記ホルダ本体の１対の側板に直接的又は間接的に設けられた縦溝に沿って水平状態を維持したまま昇降することができるように前記１対の側板に摺動自在に支持され、前記紙繰出し機構の前記紙繰出し板には、その先端縁にカッター刃が取付けられ、前記紙繰出し機構は、通常では前記紙繰出し板が前記カバー内に引き込められるようにばね付勢するばね付勢手段と、前記紙繰出し板の下面であって前記カッター刃の後方に設けられて前記巻紙の繰出しに伴って前記紙繰出し板を前進するための紙引っ掛け手段と、前記巻紙の繰出し時には前記紙に押されて前記紙引っ掛け手段に向けて持ち上げられるが、前記紙がカッター刃で切断されると、前記紙引っ掛け手段から離反するように下向きにばね付勢される紙剥がし手段とを備えていることを特徴するロール巻紙ホルダ。
【請求項２】
請求項１に記載のロール巻紙ホルダであって、前記紙繰出し機構は、前記カバーに一体に形成されて前記紙繰出し板を摺動自在に受止める水平受止め板を含み、前記水平受止め板は、前記紙繰出し板の一部が係合して前記紙繰出し板が前記カバーから外れるのを防止するストッパを有するロール巻紙ホルダ。
【請求項３】
請求項１に記載のロール巻紙ホルダであって、前記繰出し板は、前記カバーの側板部の水平長溝に緩く係入する突起を含み、この突起を前記水平長溝に沿って摺動するようにしたロール巻紙ホルダ。
【請求項４】
請求項１乃至３のいずれかに記載のロール巻紙ホルダであって、前記紙引っ掛け手段は、前記紙繰出し板に下面に取付けられて前記カッター刃から離反するように板ばねの先端に取付けられた紙接触抵抗片から成っているロール巻紙ホルダ。
【請求項５】
請求項１乃至４のいずれかに記載のロール巻紙ホルダであって、前記紙剥がし手段は、前記紙繰出し板の下面に取付けられた板ばねの先端に設けられた紙剥がし片から成り、前記紙剥がし片は、紙繰出し時以外には、前記紙引っ掛け手段より下方に位置するようにばね付勢されているロール巻紙ホルダ。
【請求項６】
請求項５に記載のロール巻紙ホルダであって、前記紙剥がし片は、前記紙の繰出し時に、前記紙引っ掛け手段の切り欠きに係入するロール巻紙ホルダ。
【請求項７】
請求項６に記載のロール巻紙ホルダであって、前記紙引っ掛け手段は、少なくとも２つの間隔をあけて配置された紙接触抵抗片から成っていて隣り合う紙接触抵抗片の間に前記切り欠きが形成され、前記紙剥がし手段は、前記紙引っ掛け手段の切り欠きに対応する少なくとも１つの紙剥がし片から成っているロール巻紙ホルダ。
【請求項８】
請求項５に記載のロール巻紙ホルダであって、前記紙剥がし片は、前記紙引っ掛け手段に係入することがなく持ち上げられ、前記紙剥がし片は、紙引っ掛け手段の紙引っ掛け片よりも後側に引っ込んで配置されているロール巻紙ホルダ。
【請求項９】
請求項１乃至8のいずれかに記載のロール巻紙ホルダであって、前記ばね付勢手段は、前記カバーの後方に配置され前記紙繰出し板を前記カバー内に引き込むようにばね付勢するゼンマイ式巻きばねから成っているロール巻紙ホルダ。
【請求項１０】
請求項９に記載のロール巻紙ホルダであって、前記ゼンマイ式巻きばねは、前記カバーの両側板部の後端の拡大板片に支持されている１対の巻きばねから成っているロール巻紙ホルダ。
【発明の詳細な説明】
【技術分野】
【０００１】
本発明は、トイレットペーパの如きロール状の巻紙（ロール巻紙）を回転自在に保持し、巻紙の先端に摘み代を常に維持しつつロール巻紙を順次繰り出してこの繰出し部分（使用部分）を後続の巻紙部分から切り離すことができるロール巻紙ホルダの改良に関するものである。
【背景技術】
【０００２】
トイレットぺーパの如きロール巻紙を保持するロール巻紙ホルダは、一般に、少なくとも１対の側板を含むホルダ本体と、このホルダ本体の１対の側板の内面に取り付けられてロール巻紙を回転自在に保持する１対の巻紙受けと、この１対の巻紙受けに保持されたロール巻紙を覆うようにホルダ本体に枢支して取り付けられ先端縁にカッター刃を有するカバーとを備えている。このロール巻紙ホルダは、カバーとロール巻紙との間からロール巻紙の先端縁を引っ張ってロール巻紙の所定長さを繰り出し、カバーのカッター刃で巻紙の後続部分から繰出し部分（又は使用部分）を切り離すように使用される。
【０００３】
一方、この種のホルダにおいて、ロール巻紙の先端縁がカバーのカッター刃に一致して終わっていると、次の巻紙の繰出しに際して、ロール巻紙を引っ張るべき先端縁を摘み出すことが難しく、このために、巻紙の繰出し、切離しの操作後、巻紙の先端縁が摘み易くなるように工夫された種々のロール巻紙ホルダが提案されている（特許文献１乃至５参照）。
【０００４】
しかし、特許文献１（特許第４４７８９９７号公報）及び特許文献２（特開２００２-３３８０９４号公報）のロール巻紙ホルダにおいては、ロール巻紙の繰出し後、摘み代を余分に繰り出すための機構は、１対の側板に配置され、且つこの摘み代繰出し機構は、左右両方の側板に有していないと、摘み代を有効に繰り出すことができないので、側板の構造が極めて複雑となる欠点があった。
【０００５】
また、特許文献３（特開平１１-２０６６１７号公報）及び特許文献４（特開２０１４-１２１１２号公報）のロール巻紙ボルダは、構造が簡単であるが、特許文献３のホルダでは、巻紙の先端縁がカッターの凹部によって切り離しがきれいに行われないため、見栄えが悪く、また、特許文献４のホルダは、ストッパによってカバーが常に浮き上がっているので、カバーが巻紙に接触している場合に比べて、巻紙の所定長の繰り出し後切離す操作が円滑に行われ難い欠点がある。
【０００６】
特許文献５（特許第６１５１３０９号公報）は、特許文献３，４の欠点を改善するために、巻紙の摘み代を形成する機構をカバー側に設けて簡単な構造で摘み代を形成することができ、また見栄えを悪くしないようにするために、巻紙１の先端を引っ張って繰出すと、この紙が引っ掛けられた紙繰出し板８４が上部固定カバー部材７０Ｕから突き出るようにばね８２に抗して前進し、この状態は、上部固定カバー部材７０Ｕの内面に取り付けられた弾性ストッパ部材８６によって維持され、紙の繰出し部分１Ｆを紙繰出し板８４のカッター刃４０によって折り返すように巻紙１の後続部分１Ｒから切り離すと、紙繰出し板８４は、上部固定カバー部材７０Ｕの先端を支点として梃運動してストッパ部材８６から外れて紙の摘み代１Ｅを残してばね８２によって上部固定カバー部材７０Ｕから引っ込んで戻るように構成されている。
【０００７】
しかし、この特許文献５のロール巻紙ホルダは、紙繰り出し板８４を上部固定カバー部材７０Ｕから突き出した状態を維持する弾性ストッパ部材８６を必要とし、また紙の切断後、摘み代を残しつつ紙繰り出し板８４を弾性ストッパ部材８６から外す必要があるため紙繰り出し板８４と弾性ストッパ部材８６との複雑な連携機構が必要であるため、更なる改良が求められている。
【先行技術文献】
【特許文献】
【０００８】
【特許文献１】特許第４４７８９９７号公報
【特許文献２】特開２００２−３３８０９４号公報
【特許文献３】特開平１１−２０６６１７号公報
【特許文献４】特開２０１４−１２１１２号公報
【特許文献５】特許第６１５１３０９号公報
【発明の概要】
【発明が解決しようとする課題】
【０００９】
本発明が解決しようとする課題は、摘み代を形成する紙繰り出し板の繰り出し及び引き戻しを一層簡単な構造で行うことができるようにしたロール巻紙ホルダを提供することにある。
【課題を解決するための手段】
【００１０】
本発明の課題解決手段は、１対の側板を含むホルダ本体と、前記１対の側板の内面に取り付けられてロール巻紙を回転自在に保持する１対の巻紙受けと、前記１対の巻紙受けに保持されたロール巻紙を覆うようにホルダ本体に取り付けられたカバーと、前記カバー内に水平方向に摺動自在に保持されて前記ロール巻紙の紙先端を引っ張ると、前記ロール巻紙に係止して引っ張られて前記カバーから突き出るが、前記ロール巻紙をカッター刃で切断すると前記カバー内に引き戻される紙繰出し板を含む紙繰出し機構とを備えているロール巻紙ホルダにおいて、前記カバーは、前記ホルダ本体の１対の側板に直接的又は間接的に設けられた縦溝に沿って水平状態を維持したまま昇降することができるように前記１対の側板に摺動自在に支持され、前記紙繰出し機構の前記紙繰出し板は、その先端縁にカッター刃が取付けられ、前記紙繰出し機構は、通常では前記紙繰出し板が前記カバー内に引き込められるようにばね付勢するばね付勢手段と、前記紙繰出し板の下面であって前記カッター刃の後方に設けられて前記巻紙の繰出しに伴って前記紙繰出し板を前進するための紙引っ掛け手段と、前記巻紙の繰出し時には前記紙に押されて前記紙引っ掛け手段に向けて持ち上げられるが、前記紙が前記カッター刃で切断されると、前記紙引っ掛け手段から離反するように下向きにばね付勢される紙剥がし手段とを備えていることを特徴するロール巻紙ホルダを提供することにある。
【００１１】
本発明の解決手段において、前記紙繰出し機構は、前記カバーに一体に形成されて前記紙繰出し板を摺動自在に受止める水平受止め板を含み、前記水平受止め板は、前記紙繰出し板の一部が係合して前記紙繰出し板が前記カバーから外れるのを防止するストッパを有する形態とすることができる。
【００１２】
本発明の解決手段において、前記繰出し板は、前記カバーの側板部の水平長溝に緩く係入する突起を含み、この突起を前記水平長溝に沿って摺動するようにした形態とすることができる。
【００１３】
本発明の解決手段において、前記紙引っ掛け手段は、前記紙繰出し板に下面に取付けられて前記カッター刃から離反するように板ばねの先端に取付けられた紙接触抵抗片から成っている形態とすることができる。
【００１４】
本発明の解決手段において、前記紙剥がし手段は、前記紙繰出し板の下面に取付けられた板ばねの先端に取付けられた紙剥がし片から成り、前記紙剥がし片は、紙繰出し時以外には、前記紙引っ掛け手段より下方に位置するようにばね付勢されている形態とすることができる。
【００１５】
この場合、紙剥がし片は、前記紙の繰出し時に、前記紙引っ掛け手段の切り欠きに係入してもよく、この場合、前記紙引っ掛け手段は、少なくとも２つの間隔をあけて配置された紙引っ掛け片から成っていて隣り合う紙接触抵抗片（紙引っ掛け片）の間に前記切り欠きを形成し、前記紙剥がし手段は、前記紙引っ掛け手段の切り欠きに対応する少なくとも１つの紙剥がし片から成っている形態とすることができる。
【００１６】
上記に代えて、紙剥がし片は、紙引っ掛け手段に係入することがなく持ち上げられ、この場合、紙剥がし片は、紙引っ掛け手段の紙引っ掛け片よりも後側に引っ込んで配置される。
【００１７】
本発明の課題解決手段において、前記ばね付勢手段は、前記カバーの後方に配置され、前記紙繰出し板を前記カバー内に引き込むようにばね付勢するゼンマイ式巻きばねから成っている形態とすることができる。
【００１８】
本発明の課題解決手段において、前記ゼンマイ式巻きばねは、前記カバーの両側板部の後端の拡大板片に支持されている１対の巻きばねから成っている形態とすることができる。
【発明の効果】
【００１９】
本発明によれば、巻紙の先端を所定長の使用部分を繰り出した後、この使用部分をカッター刃によって切り離すと、後続の巻紙の先端にカバーから突き出た状態で摘み代を残すが、この摘み代を形成する機構は、カバーに摺動自在に設けられて前後に水平運動する紙繰出し板とこの紙繰出し板のカッター刃付近に設けられた紙引っ掛け手段とから成っているので、特許文献５の紙繰出し機構に比べて構造が著しく簡単である上に、紙繰出し板をカバーから突き出た状態に保持する必要がなく、従ってストッパ部材を必要とすることもなく、単純な動きで紙の摘み代を形成することができる。
【００２０】
また、摘み代は、紙がカッター刃から切断されて切り離されると、摘み代の上に位置する紙剥がし手段がばね付勢によって摘み代を紙引っ掛け手段から強制的に引き離すので、摘み代が紙繰出し板と共にカバー内に戻ることがなく、巻紙から摘み代を確実に形成することができる。
【図面の簡単な説明】
【００２１】
【図１】本発明の好ましい実施の形態によるロール巻紙ホルダの紙繰出し前の状態の左側面を部分破断した側面図である。
【図２】図１の巻紙ホルダの巻紙から摘み代を持ち上げた状態の左側面を部分破断した側面図である。
【図３】図２の状態から摘み代を斜め上向きに引き出して後続の巻紙部分を繰り出している状態の左側面を部分破断した側面図である。
【図４】図１と同様であるが、ロール巻紙の残りが少なくなってカバーを含む紙繰出し機構が下降した状態の左側面を部分破断した側面図である。
【図５】本発明のロール巻紙ホルダの巻紙を外した状態の正面図である。
【図６】図1のロール巻紙ホルダのホルダ本体の斜視図である。
【図７】紙繰出し板と紙引っ掛け手段と紙剥がし手段との関係を示す側面図である。
【図８】カバーの部分破断斜視図である。
【図９】カバーの異なる実施例の2つの異なる例の側面図である。
【図１０】紙引っ掛け手段と紙剥がし手段との異なる３つの例の斜視図である。
【図１１】紙引っ掛け手段と紙剥がし手段とばね付勢手段と２つの異なる例の斜視図である。
【発明を実施するための形態】
【００２２】
本発明の１つの実施の形態によるロール巻紙ホルダ１０が図１乃至図５に示されており、このロール巻紙ホルダ１０は、１対の側板２２Ｒ、２２Ｌとこれらの側板２２Ｒ、２２Ｌの間にあってこれらの側板を連結する背板２２Ｈ（図５及び図６参照)を含むホルダ本体２０と、１対の側板２２Ｒ、２２Ｌの内面に取り付けられてロール巻紙１を回転自在に保持する１対の巻紙受け３０Ｒ、３０Ｌと、１対の巻紙受け３０Ｒ、３０Ｌに保持されたロール巻紙１を覆うようにホルダ本体２０に保持されたカバー４０と、カバー４０内に配置されてロール巻紙１の撮み代（紙先端）１Ｅを引っ張ると、ロール巻紙１から巻きほぐされる紙部分１Ａに係止して引っ張られてカバー４０から突き出るが、紙部分１Ａをカッター刃５０で切断すると、カバー４０内に引き戻される紙繰出し板６０を含む紙繰出し機構７０とを備えている。
【００２３】
紙繰出し機構７０は、後に詳細に述べるように、紙繰出し板６０がカバー４０内に引き込められるようにばね付勢するばね付勢手段６８と、紙繰出し板６０の下面であってカッター刃５０の後方に設けられて巻紙１の繰出しに伴って紙繰出し板６０をカバー４０から突き出すように前進するための紙引っ掛け手段８０と、巻紙１の繰出し時には紙１Ａに押されて紙１が紙引っ掛け手段８０に係合するように紙引っ掛け手段８０に向けて持ち上げられるが、紙１がカッター刃５０で切断されると、紙引っ掛け手段８０から離反するように下向きにばね付勢される紙剥がし手段９０を備えている
【００２４】
ホルダ本体２０の両側板２２Ｒ，２２Ｌは、図6に示すように、上端から内向きに延びる水平天壁片２２ＲＴ、２２ＬＴを有し、また、これらの天壁片２２ＲＴ，２２ＬＴの後端から下向きに延びる垂直壁片２２ＲＶ、２２ＬＶを有する。一方、ホルダ本体２０は、その側板２２Ｒ、２２Ｌの垂直壁片２２ＲＶ、２２ＬＶの端面に衝合する中央板部分２２ＨＣとその両端から延びて側板２２Ｒ、２２Ｌの垂直壁片の内面に衝合する端板部分２２ＨＥとを有し、背板２２Ｈの中央板部分２２ＨＣと端板部分２２ＨＥと側板２２Ｒ、２２Ｌの垂直壁片２２ＲＶ、２２ＬＶ及び水平天壁板２２ＲＴ、２２ＬＴの後端とは適宜の接着剤などによって相互に接着されてホルダ本体２０を形成している。ホルダ本体２０が側板２２Ｒ、２２Ｌと背板２２Ｈとの接着にとって形成する理由は、ホルダ本体２０の側板２２Ｒ、２２Ｌの間に、カバー４０及び紙繰出し機構７０を組み込むことができるようにするためである。
【００２５】
１対の巻紙受け３０Ｒ、３０Ｌは、図５、図６に示すように、ホルダ本体２０の両側板２２Ｒ，２２ＲＬの内面に取付けられたブラケット３２Ｒ、３２Ｌに枢支された受け片３４Ｒ，３４Ｌから成っており、これらの受け片３４Ｒ、３４Ｌは、ばね３６Ｒ、３６Ｌによって図6の水平位置に維持されてロール巻紙１を回転自在に保持している。なお、図１乃至図４の形態では。ロール巻紙１は、ホルダ本体２０の正面から押し込んで受け片３４Ｒ、３４Ｌに保持するように形成されているが、ホルダ本体２０の下から押し込んで受け片３４Ｒ、３４Ｌに保持するように形成してもよい。
【００２６】
カバー４０は、ホルダ本体２０の１対の側板２２Ｒ、２２Ｌの内面に設けられた縦溝２２ＲＧ、２２ＬＧに沿って水平状態を維持したまま昇降することができるよう１対の側板２２Ｒ、２２Ｌに摺動自在に支持される突起４２ＲＰ、４２ＬＰを有する。図1乃至図4の実施の形態では、突起４２ＲＰ、４２ＬＰは、円形であるが、これらの突起は、四角形の如き角形であってもよい。このカバー４０は、図８に示すように、両側に側板部４４Ｒ、４４Ｌを有する水平板４６から成っており、従って、このカバー４０は、下面が開放している断面逆Ｕ字形の形態を有する。突起４２ＲＰ、４２ＬＰが角形でもよい理由は、ロール巻紙１を出し入れする際にカバー４０の前端を持ち上げるように枢動するのではなく、カバー４０を水平に昇降してロール巻紙１を出し入れするからである。なお、突起４２ＲＰ、４２ＬＰが係入する縦溝２２ＲＧ、２２ＬＧは、デザイン上問題がなければ、ホルダ本体２０の側板２２Ｒ、２２Ｌの外側から見えるように側板２２Ｒ,２２Ｌの厚みを貫通して設けてもよいし、また側板２２Ｒ、２２Ｌに直接設けるのではなく、側板２２Ｒ、２２Ｌの内面に取付けられた補強部材の相対する面に設けられてもよい、このようにすると、測版２２Ｒ、２２Ｌは、厚みが小さくても、カバー４０を高い強度で保持することができる。
【００２７】
カッター刃５０は、紙繰出し機構７０の紙繰出し板６０の先端縁に取付けられている。紙繰出し板６０は、通常では、後に詳細に述べるばね付勢手段６８によってこの紙繰出し板６０がカバー４０内に引き込められるようにばね付勢されており、紙繰出し板６０の前縁下面には、通常では、同じく後に詳細に述べるように、紙繰出し板６０のカッター刃５０から離反するようにばね付勢されていて巻紙１の繰出しに伴って紙繰出し板６０を前進するための紙引っ掛け手段８０が取付けられている。
【００２８】
紙繰出し板６０は、図１乃至図4、図５及び図８に示すように、カバー４０の側板部４４Ｒ、４４Ｌから内向きに延びるようにカバー４０に設けられた水平受け板４４ＲＨ、４４ＬＨに摺動自在に支持されている。従って、紙繰出し板６０は、水平受け板４４ＲＨ、４４ＬＨ上を摺動してカバー４０内に引っ込んだり（図１、図２、図４参照）、カバー４０から突き出たりする（図３参照）ように、水平運動することができる。紙繰出し板６０が、カバー４０から飛び出すのを防止するために、水平受け板４４ＲＨ、４４ＬＨは、紙繰出し板６０の最終飛び出し位置（図３で示す位置）を越えることがないように紙繰出し板６０のピン６０ＲＰ、６０ＬＰが衝合するストッパ４４ＲＨＳ、４４ＬＨＳを有する（図８参照）。
【００２９】
ばね付勢手段６８は、図１乃至図４，特に、図１１（Ａ）に示すように、紙繰出し板６０をカバー４０内に引き込むようにばね付勢する１対のゼンマイ式巻きばね６８Ｗから成っており、この巻きばね６８Ｗは、カバー４０の後方で両側に設けられた拡大端部４６Ｒ、４６Ｌに保持されている。巻きばね６８Ｗは、カバー４０の扁平な四角いケース４８内に配置された図示しない帯巻部から成っており、ケース４８の開口から引き出されるばね帯６８Ｓから手を離すと（紙を繰出してカッター刃５０で切断後、手から離れると）、帯巻部に設けられた図示しないゼンマイばねによって帯巻部に巻き戻されるように形成されている。
【００３０】
ばね付勢手段６８である１対のゼンマイ式巻きばね６８Ｗの帯巻部から繰り出されたばね帯６８Ｓは、図示しないねじ又はかしめ等の適宜の手段によって紙繰出し板６０の後端に接続されている（図１１（Ａ）参照）。従って、紙繰出し板６０は、ばね付勢手段８０によって、カバー４０内に引き込まれるように付勢されているが、後に述べる紙引っ掛け手段８０によって紙部分１Ａの繰り出しに伴ってばね付勢手段６８に抗してカバー４０から突き出るように引き出される。
【００３１】
紙引っ掛け手段８０は、図７及び図１０（Ａ）に示すように、紙繰出し板６０のカッター刃５０から離反するように保持するために紙繰出し板６０の下面に取付けられた複数（図示の例では２つの）板ばね８２の先端を連結する連結片８２Ｃに保持されて巻紙１に摩擦的に接触することができる複数の紙接触抵抗片８４から成っている。この紙接触抵抗片８４は、マイクロニードルアレイ、やすり、のこぎり波状又は剣山状の部材から形成することができる。従って、ロール巻紙１から繰り出される紙部分１Ａをこの紙接触抵抗片８４に押し付けるように引き出すと、紙繰出し板６０も紙部分１Ａと共に一緒にカバー４０から引き出される。複数の紙接触抵抗片８４は、図１０（Ａ）に示すように、間隔をあけて設けられており、紙引っ掛け手段８０は、これらの複数の紙接触抵抗片８４の間に切り欠き８４Ｎが形成される。これらの複数の紙接触抵抗片８４は、切り欠き８４Ｎで部分的に相互に連結されていてもよい。なお、カバー４０は、紙１を上向きに引き出す際に、紙によって持ち上げられることがないようにある程度の重みを有するのが好ましい。
【００３２】
紙剥がし手段９０は、図７、図１０（Ａ）に示すように、紙繰出し板６０の下面に取付けられた板ばね９２の先端に取付けられた紙剥がし片９４から成っており、この紙剥がし片９４は、紙繰出し時以外には、紙引っ掛け手段８０より下方に位置するようにばね付勢されている（図１，図７参照）。この紙剥がし片９４は、後に動作説明で述べるように、紙引っ掛け手段８０の切り欠き８４Ｎに対応して突片９４Ｐを有しており、紙繰出し時に紙で押し上げられる際に、突片９４Ｐが紙繰出し板６０の線接触抵抗片８４の切り欠き８４Ｎ内に緩く入り込むようにしている。
【００３３】
次に、本発明のロール巻紙ホルダ１０の使用状態を説明すると、図１に示すように、通常では、紙繰出し機構７０の紙繰出し板６０は、カバー４０内に引き込んだ後退位置にある。この状態から巻紙１の先端（先の繰出しで形成された摘み代）を水平に引き出して紙の使用長さ分を引き出すが、所定の引き出し長さを引き出した後、紙を上向きに持ち上げると、図２に示すように、紙剥がし手段９０の紙剥がし片９４を板ばね９２に抗して紙引っ掛け手段８０の切り欠き８４Ｎ内に係入しつつ、巻紙１の繰り出されるべき部分が引っ掛け手段８０の紙接触抵抗片８４に係合する（図２参照。）この状態から紙端をやや上向きに引っ張ると、紙端の引張につられて紙繰出し板６０がカバー４０から引き出される。この紙の引き出し長さは、次の摘み代１Ｅに相当する長さである(図１参照)。
【００３４】
所定の長さの紙が引き出された後、先の摘み代に連続して引き出された使用すべき紙部分をカッター刃５０によって切り取られるようにカッター刃５０に押しつけて後続の紙部分から切り離すと、紙引っ掛け手段８０の紙接触抵抗片８４と紙剥がし手段９０の紙剥がし片９４とがそれぞれ板ばね８２，９２によって紙繰出し板６０から離反するので、紙繰出し板６０がばね付勢手段６８によってカバー４０内に引き込まれる。一方、紙剥がし手段９０の紙剥がし片９４は、紙引っ掛け手段８０の紙接触抵抗片９４よりも下方に離れるように板ばね９２によって下降するので、摘み代１Ｅとなるべき新しい紙最先端部は、紙接触抵抗片８４から引き剥がされる。従って、新しい紙の先端部が繰出し板６０と共にカバー４０内に引き込まれて巻き戻されることはなく、新たな摘み代が確実に残される。
【００３５】
ロール巻紙１が消費されてロールが小径化するにつれて、紙繰出し板６０を介してロール巻紙１の上に乗っているカバー４０は、その突起４２ＲＰ、４２ＬＰがホルダ本体の２０の縦溝２２ＲＧ、２２ＬＧに沿って水平状態を維持しながら下降する（図４参照）。全ての巻紙１が消費された場合には、新しい巻紙１をホルダ本体２０内に挿入すると、巻紙１の円周に沿ってカバー４０及び繰出し板６０が自動的に上昇するので、巻紙１の交換に支障を来すことはない。新しい巻紙１をセットした場合には、最初は手で摘み代を引き出す必要があるが、その後は、上記と同様の動作によって摘み代を自動的に形成するように引き出すことができる。
【００３６】
図１乃至図１０の実施例では、紙繰出し板６０は、カバー４０の水平受け板４４ＲＨ、４４ＬＨに摺動自在に支持されているが、水平受け板４４ＲＨ、４４ＬＨに代えて、図９に示すように、カバー４０の側板部４４Ｒ，４４Ｌに水平長溝４４ＲＧ、４４ＬＧを形成し、一方、図１１に示すように、紙繰出し板６０にピン６２ＲＰ，６２ＬＰを形成し、これらのピン６２ＲＰ、６２ＬＰをカバー４０の側板部４４Ｒ、４４Ｌの水平長溝４４ＲＧ、４４ＬＧに係入して紙繰出し板６０をカバー４０に摺動自在に保持してもよい。なお、紙繰出し板６０が、ピン６２ＲＰ，６２ＬＰを中心にして下方に垂れ下がることがないように、ピン６２ＲＰ、６２ＬＰは、紙繰出し板６０の終端（図１乃至図４でみて左側の端部）よりも前側に設けることが必要であり、このようにすると、紙繰出し板６０のピン６２ＲＰ，６２ＬＰよりも後方の板部分がカバー４０の下面に衝合して垂れ下がりを防止することができる（図７参照）。
【００３７】
図１乃至図５及び図１０（Ａ）の実施例では、紙繰出し機構７０が複数の紙接触抵抗片８４と複数の紙接触抵抗片８４間の一部の切り欠き８４Ｎに係入する少数の突片９４Ｐを有する１つの紙剥がし片９４とから成っていたが、図１０（Ｂ）に示すように、紙剥がし片９４が紙接触抵抗片８４間の全ての切り欠き８４Ｎに係入する突片９４Ｐを有してもよく、また図１０（Ｃ）に示すように、紙接触抵抗片８４が一連の帯の形態を有し、紙剥がし片９４が紙接触抵抗片８４に係入することなく、紙接触抵抗片８４の後方に位置するようにしてもよい。更に、紙接触抵抗片８４は、板ばね８２に取付けることなく、紙繰出し板６０の下面に直接取付けてもよい。
【産業上の利用可能性】
【００３８】
巻紙の摘み代を形成するために、紙繰出し板を繰り出す紙繰出し機構は、紙繰出し板に直接設けられた紙引っ掛け手段と紙剥がし手段とから成っているので、機構が極めて簡単である上に、紙の繰出し、切り離し等の操作性がよく、産業上の利用可能性が高い。
【符号の説明】
【００３９】
１  巻紙
１Ｅ  摘み代
１０  ロール巻紙ホルダ
２０  ホルダ本体
２２Ｒ、２２Ｌ  側板
２２ＲＧ、２２ＬＧ  縦溝
２２ＲＴ，２２ＬＴ  水平天壁片
２２ＲＶ、２２ＬＶ  垂直壁片
２２Ｈ  背板
２２ＨＣ  中央板部分
２２ＨＥ  端板部分
３０Ｒ、３０Ｌ  巻紙受け
３２Ｒ、３２Ｌ  ブラケット
３４Ｒ、３４Ｌ  受け片
４０  カバー
４２ＲＰ、４２ＬＰ  突起
４４Ｒ、４４Ｌ  側板部
４４ＲＨ、４４ＬＨ  水平受け板
４４ＲＨＳ、４４ＬＨＳ  ストッパー
４４ＲＧ、４４ＬＧ  水平長溝
４４Ｒ、４４Ｌ  側板部
４６  水平板
４６Ｒ、４６Ｌ  拡大端部
４８  ケース
５０  カッター刃
６０  紙繰出し板
６０ＲＰ、６０ＬＰ  ピン
６２ＬＰ、６２ＲＰ  ピン
６８  ばね付勢手段
６８Ｗ  ゼンマイ式巻きばね
６８Ｓ  ばね帯
６８Ｔ  ねじ
７０  紙繰出し機構
８０  紙引っ掛け手段
８２  板ばね
８４  紙接触抵抗片
８４Ｎ  切り欠き
９０  紙剥がし手段
９２  板ばね
９４  紙剥がし片
９４Ｐ  突片
【図１】
2020203028.tif 000003
【図２】
2020203028.tif 000004
【図３】
2020203028.tif 000005
【図４】
2020203028.tif 000006
【図５】
2020203028.tif 000007
【図６】
2020203028.tif 000008
【図７】
2020203028.tif 000009
【図８】
2020203028.tif 000010
【図９】
2020203028.tif 000011
【図１０】
2020203028.tif 000012
【図１１】
2020203028.tif 000013